(57)【要約】【課題】稀土鉱石／トルマリン／長石等に含まれるトリウム、ウラン系列核種等は放射性壊変によってα線、β線や、残留核を発生し、水等と反応して、その化学結合やファンデルワールス力を切断し、マイナスイオン等の化学種を発生する。この発生量を増加させるため各種ミネラルの配合し、インク媒体のクラスターの微細化と安定化を検討した。【解決手段】マイナスイオン、プラスイオン、遊離基等の化学種の発生量の増加に関する諸問題を解決するため、海面下２００メートル以上の深海から取水した深層海水、湧昇海水または、深層水を濃縮して得られる苦汁のミネラルの作用に着目して種々化学的検討を行い、苦汁、希土鉱石／トルマリン／長石を配合したアクリルエマルジョンが、化学種の発生量を増加させることができることを明らかにした。また、この混合物を、インク媒体の近隣に塗布・付着することによってインク媒体のクラスターが微細化、安定化し、精緻で安定な印刷が実現することを明らかにした。【特許請求の範囲】
【請求項１】
苦汁、酸／塩基／塩、稀土鉱石／トルマリン／長石とよりなる塗料。
【請求項２】
塗料中の苦汁成分０−３０重量％に対して、酸／塩基／塩０−１０重量％、稀土鉱石０−１００重量％、トルマリン０−３０重量％、長石０−７０重量％である請求項１記載の塗料。
【請求項３】
インク充填ケースの器壁に請求項１および、２の塗料を塗布または、付着したインクジェットプリンター・ボールペン・万年筆・マジックインク・記録計・カーボン紙・スタンパー・印肉・絵の具・印刷機械・筆記器具のためのインク。
【請求項４】
インク収納部または、およびインク輸送部に請求項１および、２の塗料を塗布または、付着したインクジェットプリンター・ボールペン・万年筆・マジックインク・記録計・カーボン紙・スタンパー・印肉・絵の具・印刷機械・筆記器具等のインク収納機器。
【請求項５】
海面下２００メートル以上の深海から取水した深層海水、湧昇海水または、深層水を濃縮して得られる苦汁を利用して製造される請求項１および、２記載の塗料。
【請求項６】
海面下２００メートル以上の深海から取水した深層海水、湧昇海水または、深層水を濃縮して得られる苦汁を利用して製造される請求項３および、４記載のインク収納機器。
【発明の詳細な説明】
【０００１】
【産業上の利用分野】
この発明は、深層水（ｄｅｅｐ  ｌａｙｅｒ  ｗａｔｅｒ）［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：地下陸水で、古代に陸封されたもの、または、深層海水が地下深層部に侵入した海水）］を濃縮して得られる苦汁（ｂｉｔｔｅｒｎ）を利用して製造される塗料に関するものであり（湧昇：Ｂ．  Ｈ．  ＭｃＣｏｎｎａｕｇｈｅｙ，  Ｉｎｔｒｏｄｕｃｔｉｏｎｔｏ  Ｍａｒｉｎｅ  Ｂｉｏｌｏｇｙ，  １０，  （１９７０，  Ｔｈｅ  Ｃ．  Ｖ．  Ｍｏｓｂｙ  Ｃｏｍｐａｎｙ，  Ｓａｉｎｔ  Ｌｏｕｉｓ，  ＵＳＡ））、含まれる、従来にない多様なミネラルが稀土鉱石／トルマリン／長石によるマイナスイオンの発生量に触媒的効果を示し、遊離基発生量に比較し、１０−３０％のマイナスイオンの発生量増加作用を有する塗料の製造に関するものである。ここで用いられる深層水は、いずれも滞留時間が長く、また、食物連鎖の中で栄養分の連環消費がなされていない原海水（深層水）であることが必要である。さらに、本発明は、本塗料を塗布または付着したインク収納ケースに含まれるインクおよび、インクジェットプリンター・ボールペン・万年筆・マジックインク・記録計・カーボン紙・スタンパー・印肉・絵の具・印刷機械・筆記器具等のインク収納機器に関するものである。
【０００２】
【従来の技術及び発明が解決しようとする課題】
稀土鉱石、トルマリン、長石等に含まれるトリウム（Ｔｈ）、ウラン（Ｕ）系列核種等の作用により近接する外界の気体、液体等界面近辺で気体・液体等の化学構造変化をもたらし、遊離基、アニオン、カチオンの何れもが生成する。一方、深層海水に含まれるミネラルイオンは水分と水和（ｓｏｌｖａｔｉｏｎ）しやすい。深層海水に含まれるミネラルの場合、二次要素（ｓｅｃｏｎｄａｒｙ  ｎｕｔｒｉｅｎｔｓ；  Ｃａ，  Ｍｇ，  Ｓｉ，  Ｓ）、微量要素（ｍｉｃｒｏｎｕｔｒｉｅｎｔｓ；  Ｍｎ  ，Ｂ，  Ｆｅ，  Ｃｕ，  Ｚｎ，  Ｍｏ，  Ｃｌ，  その他）が豊富に含まれ（野崎義行、現代海洋化学の展望、海洋、号外  Ｎｏ．８，  ５  （１９９５））、微細なクラスターを形成して活性化されている。放射性壊変によって発生するα線、β線や、残留核（Ｒｎ等：数百ｅＶの反跳エネルギーを有する）は空気構成分子、水、有機溶剤等と反応して、その化学結合（数ｅＶ）や水素結合（ｈｙｄｒｏｇｅｎ  ｂｏｎｄｉｎｇ：  ｖａｎ  ｄｅｒ  Ｗａａｌｓ  ｆｏｒｃｅ）を切断する。その結果ＯＨ−等のマイナスイオン、プラスイオン、遊離基（ｒａｄｉｃａｌ）等の化学種（ｃｈｅｍｉｃａｌ  ｓｐｅｃｉｅｓ）を発生する。ファンデルワールス力（ｖａｎ  ｄｅｒ  Ｗａａｌｓ  ｆｏｒｃｅ）によって水和したミネラルは空気構成分子、水、有機溶剤の結合力を低減し、ＯＨ−  等の化学種の生成を容易にし、マイナスイオン等の生成量を数十％増加させることができる。また、放射線は空気構成分子、水、有機溶剤、インク構成溶剤等の分子間のファンデルワールス力を切断し、空気構成分子、水、有機溶剤、インク構成溶剤・溶質等のクラスターを微細化する。このような特性を持った塗料をインクジェットプリンター・ボールペン・万年筆・マジックインク・記録計・カーボン紙・スタンパー・印肉・絵の具・印刷機械・筆記器具のためのインク収納ケースまたは／および、インクジェットプリンター・ボールペン・万年筆・マジックインク・記録計・カーボン紙・スタンパー・印肉・絵の具・印刷機械・筆記器具のインク収納部分または／および、インク送液部分に塗布・付着することによって、インクの微細クラスター化（構造化インク：ｓｔｒｕｃｔｕｒｉｚｅｄ  ｉｎｋ）を実現するものである。常時励起エネルギーが照射されている場合、ファンデルワールス力は切断され、インクが構造化（ｓｔｒｕｃｔｕｒｉｚｅ）されることによって、より微量なインク送液が可能となる。また、被印刷物に構造化インクが付着・吸着した場合、微細な構造化インクはインク分子間および、インク分子−被印刷物構成分子間でより強固なファンデルワールス力が働き、印刷インクの発色効果が安定化される。
【０００３】
本発明者はマイナスイオン、プラスイオン、遊離基等の化学種の発生量の増加に関する諸問題を解決するため、深層水（ｄｅｅｐ  ｌａｙｅｒ  ｗａｔｅｒ）［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：地下陸水で、古代に陸封されたもの、または、深層海水が地下深層部に侵入した海水）］を濃縮して得られる苦汁（ｂｉｔｔｅｒｎ）のミネラルの作用に着目して種々化学的検討を行った結果、本発明に到達したものである。
【０００４】
【課題を解決するための手段】
即ち、本発明の請求項１の発明は、苦汁、酸／塩基／塩、稀土鉱石／トルマリン／長石とよりなる塗料に関するものである。
【０００５】
本発明の請求項２の発明は、塗料中の苦汁成分０−３０重量％に対して、酸／塩基／塩０−１０重量％、稀土鉱石０−１００重量％、トルマリン０−３０重量％、長石０−７０重量％である請求項１記載の塗料に関するものである。
【０００６】
本発明の請求項３の発明は、インク充填ケースの器壁に請求項１および、２の塗料を塗布または、付着したインクジェットプリンター・ボールペン・万年筆・マジックインク・記録計・カーボン紙・スタンパー・印肉・絵の具・印刷機械・筆記器具のためのインクに関するものである。
【０００７】
本発明の請求項４の発明は、インク収納部または、およびインク輸送部に請求項１および、２の塗料を塗布または、付着したインクジェットプリンター・ボールペン・万年筆・マジックインク・記録計・カーボン紙・スタンパー・印肉・絵の具・印刷機械・筆記器具等のインク収納機器に関するものである。
【０００８】
本発明の請求項５の発明は、海面下２００メートル以上の深海から取水した深層海水、湧昇海水または、深層水を濃縮して得られる苦汁を利用して製造される請求項１および、２記載の塗料に関するものである。
【０００９】
本発明の請求項６の発明は、海面下２００メートル以上の深海から取水した深層海水、湧昇海水または、深層水を濃縮して得られる苦汁を利用して製造される請求項３および、４記載のインク収納ケースおよび、インク収納機器に関するものである。
【００１０】
【発明の実施の形態】
本発明の塗料は、深層水［海面下２００メートル以上の深海から取水した深層海水、湧昇海水または、深層水］を濃縮して得られる苦汁を利用したものであり、従来にない多様なミネラルが放射性壊変によって発生するα線、β線や、残留核と相互作用し、効率よくマイナスイオン等の化学種を発生する塗料である。
【００１１】
本発明で添加する稀土鉱石は、フェルグソン鉱石等であり、トリウム１．８％以下、ウラン０．６％以下である。放射能濃度は３７０Ｂｑ／ｇ以下で、核原料物質、核燃料物質及び原子炉の規制に関する法律（施行例第１９条）、電離放射線障害防止規制（労働省第４１号）で、いずれも対象外である。
【００１２】
本発明で添加するトルマリンは、電気石とも称されるものであり、その代表的な化学組成は、３（ＮａＸ３Ａｌ６（ＢＯ３）Ｓｉ６Ｏ１８（ＯＨＦ）４）（Ｘ＝Ｍｇ，  Ｆｅ，  Ｌｉ，  Ａｌ等）である（久保哲治郎、新しい水の科学と利用技術、３０３  （１９９２））。
【００１３】
本発明で添加する長石は、化学組成がＳｉＯ２  ５６．５９％，  Ａｌ２Ｏ３  １２．６０％，  Ｆｅ２Ｏ３  ０．３４％，  ＣａＯ  ０．４０％，  ＭｇＯ  ０．１５％，  Ｎａ２Ｏ  ２．４１％，  Ｋ２Ｏ  ７．７５％，  Ｕ３Ｏ８  ０．０１％，  ＴｈＯ２  １．４２％  Ｒ２Ｏ３  （Ｔｏｔａｌ  ｒａｒｅ  ｅａｒｔｈ）  １２．００％，  ＺｙＯ２  ０．３０％，  Ｐ２Ｏ５  ５．６２％  のものである。
【００１４】
通常、海洋の表層部に存在する海水のＩＣＰ分析は以下の通りである：  Ｎａ  １０７７０，  Ｍｇ  １２９０，  Ｓ  ９０５，  Ｃａ  ４１２，  Ｋ  ３８０，  Ｓｒ  ８，  Ｂ  ４．４４，  Ｓｉ  ２，  Ｌｉ  ０．１８，  Ｒｂ  ０．１２，  Ｍｏ  ０．０１，  Ｚｎ  ０．００４９，  Ａｓ  ０．００３７，  Ｕ  ０．００３３，  Ｖ  ０．００２５，  Ａｌ  ０．００２，  Ｆｅ  ０．００２，  Ｂａ０．００２，  Ｎｉ  ０．００１７，  Ｔｉ  ０．００１，  Ｃｓ  ０．０００４，  Ｃｒ  ０．０００３，  Ｓｂ  ０．０００２４，  Ｍｎ  ０．０００２，  Ｓｅ  ０．０００２，  Ｗ  ０．０００１，  Ｃｏ  ０．００００５，  Ｇｅ  ０．００００５，  Ｃｕ  ０．００００３，  Ｇａ  ０．００００３，  Ｚｒ  ０．００００３，  Ｔｌ  ０．００００２，  Ｂｉ  ０．００００２，  Ｎｂ  ０．００００１，  Ｓｎ  ０．００００１，  Ｐｂ  ０．００００１，  Ｂｅ  ０．０００００５６，  Ａｕ  ０．０００００４，  Ｌａ  ０．０００００３１，  Ｎｄ  ０．０００００２５，  Ｔａ  ０．０００００２，  Ｈｇ  ０．０００００２，  Ｃｅ  ０．０００００１２，  Ｃｄ  ０．００００００５，  Ｙ０．００００００１３，  Ａｇ  ０．０００００００６  （ｐｐｍ）。
【００１５】
海洋の深層部に存在する海水のＩＣＰ分析は以下の通りである：  Ｎａ  １１０５５，  Ｍｇ  １３２０，  Ｓ  ２６３６，  Ｃａ  ４１０，  Ｋ  ３７２，  Ｓｒ  ８．１，  Ｂ  ４．７，  Ｓｉ  ２．５，  Ｌｉ  ０．１８，  Ｒｂ  ０．１２，  Ｍｏ０．００５５，  Ｚｎ  ０．００２２，  Ａｓ  ０．００２６，  Ｖ  ０．００１，  Ａｌ  ０．００７８，  Ｆｅ  ０．０２，  Ｂａ  ０．００８，  Ｎｉ０．０００６，  Ｃｒ  ０．０００６，  Ｍｎ  ０．００１３，  Ｓｅ＜０．０００２，  Ｃｏ  ０．００００４，  Ｇｅ  ＜０．０１，  Ｃｕ  ０．０００１２，  Ｓｎ  ＜０．００００２，  Ｐｂ  ０．００００３，  Ｈｇ  ＜０．００００２，  Ｃｄ  ０．００００６  （ｐｐｍ）。
【００１６】
海洋深層水は、極地より深海溝に沈み込んだ海流が、長い滞留時間を経て回流する水であり、源流はアイルランド沖が有名であり、その他いくつか発見されている。その存在は、１９９１年に海水大循環ベルトコンベアモデルとしてＢｒｏｅｃｋｅｒによって提唱されたものである。海洋深層水の特徴は、表層水と異なり一般に、Ｂｅ，  Ｓｃ，  Ｔｉ，  Ｆｅ，  Ｎｉ，  Ｃｕ，  Ｚｎ，  Ｇａ，  Ｇｅ，  Ｓｅ，  Ｙ，  Ｚｙ，  Ｒｈ，  Ｐｄ，  Ａｇ，  Ｃｄ，  Ｂａ，  Ｈｇ，  Ｐｏ，Ｒｎ，  Ｒａ，  Ｌａ，  Ｐｒ，  Ｎｄ，  Ｓｍ，  Ｅｕ，  Ｇｄ，  Ｔｂ，  Ｄｙ，  Ｈｏ，  Ｅｒ，  Ｔｍ，  Ｙｂ，  Ｌｕ，  Ａｃ  等の存在比が高く、Ａｌ，  Ｍｎ，  Ｃｏ，  Ｉｎ，  Ｓｎ，  Ｔｅ，  Ｐｂ，  Ｂｉ，  Ｔｈ，  Ｐｕ，  Ａｍ等の存在比が低い。また、重同位元素の存在比が高い（野崎義行、現代海洋化学の展望、海洋、号外  Ｎｏ．８，  ５  （１９９５））。
【００１７】
生体内における様々な反応は液層反応である。溶媒（ｓｏｌｖｅｎｔ）としては水が中心となっている。水が、より小さなクラスターによる階層構造を形成し安定化すると、ここで安定化エネルギーが得られる。この安定化エネルギーが、構造水の大きな波動放出の源である。ここで、基質（ｓｕｂｓｔｒａｔｅ）や、試薬（ｒｅａｇｅｎｔ）、ミネラル等が存在した場合、水和（ｓｏｌｖａｔｉｏｎ）によって安定化され、反応の自由エネルギー差（ΔＧ゜：ｓｔａｎｄａｒｄ  ｆｒｅｅ  ｅｎｅｒｇｙ  ｄｉｆｆｅｒｅｎｃｅ）を減少させる。この安定化エネルギーの差は生体内の酵素反応速度を最大１００倍程度（ｐＫａにして約２）高める効果を有する。
【００１８】
酵素、ミネラル等の様々な基質、試薬等は構造水を結合している。これら試薬等が構造水や自由水（ｆｒｅｅ  ｗａｔｅｒ）の中に分散している構造が、水溶液である。水溶液中の、自由水に対する構造水の割合が大きくなるほど、生体反応に限らず、様々な素反応（ｒｅａｃｔｉｏｎ）にとってエネルギー的に有利となる。深層水とは、各種ミネラルを溶質（ｓｏｌｕｔｅ）とした構造水の一形態にすぎない。構造化（ｓｔｒｕｃｔｕｒｉｚａｔｉｏｎ）の割合が最も大きい部類に属する水として深層水は考えられる。深層水のミネラル構成比（ｍｉｎｅｒａｌ  ｖａｌｅｎｃｅ）は表層水（ｓｕｒｆａｃｅ  ｓｅａ  ｗａｔｅｒ）と微妙に異なる。生命発生の由来から、生体反応には深層水のミネラルバランスの方がより適しているといえよう。
【００１９】
本発明の、塗料、インクジェットプリンター・ボールペン・万年筆・マジックインク・記録計・カーボン紙・スタンパー・印肉・絵の具・印刷機械・筆記器具のためのインクおよび、インクジェットプリンター・ボールペン・万年筆・マジックインク・記録計・カーボン紙・スタンパー・印肉・絵の具・印刷機械・筆記器具等のインク収納機器に利用される濃縮深層水のＩＣＰ発光分析法による定量分析結果は以下のとおりである：Ｎａ  ６３０，  Ｍｇ  ２６３７，  Ｓ  ８３７，  Ｃａ  １．３８６，  Ｋ  ５９７，  Ｂ  ７．８，  Ｌｉ  １．０１７，  Ｚｎ  ０．０００４８，  Ａｌ  ０．０１１，  Ｆｅ  ０．０１４７，  Ｍｎ  ０．０８１３，  Ｒｂ，  Ｍｏ，  Ａｓ，  Ｖ，Ｂａ，  Ｎｉ，  Ｔｉ，  Ｃｓ，  Ｃｒ，  Ｓｂ，  Ｓｅ，  Ｗ，  Ｃｏ，  Ｇｅ，  Ｃｕ，  Ｇａ，  Ｚｒ，  Ｔｌ，  Ｂｉ，  Ｎｂ，  Ｓｎ，  Ｐｂ，  Ｂｅ，  Ａｕ，  Ｔａ，  Ｈｇ，  Ｃｄ，  Ｙ，  Ａｇ  ＜  ０．００００１  （ｐｐｍ）．  ｐＨ＜３．
【００２０】また、本濃縮深層水のマウスに対する急性毒性試験（経口）結果はマウス経口投与  ２０  ｍｌ／ｋｇ体重で死亡例を認めない。ただし、試験動物は  ｄｄｙ系、５週齢の雄マウス、１群１０匹を使用した。
【００２１】
１０００−１００００倍希釈液を２４時間常温放置下後ミネラルウォーター類の原水の規格基準への適否を試験した：一般細菌：０個／ｍｌ、大腸菌群：不検出、Ｃｄ＜０．００１，  Ｈｇ＜０．０００５，  Ｓｅ＜０．００１ｌ，  Ｐｂ＜０．００５，  Ｂａ＜０．１，  Ａｓ＜０．００５，  Ｃｒ（ＶＩ）＜０．００５，  ＣＮ＜０．０１，  ＮＯ２  ＋  ＮＯ  ＜  ２．６，  Ｆ＜０．１，  Ｈ３ＢＯ４＜１．０，  Ｚｎ＜０．００５，  Ｃｕ＜０．０１，  Ｍｎ＜０．００５，  有機物等  ＜  ２．２，  硫化物＜０．０５  （ｍｇ／ｌ）。
上記試験項目については、ミネラルウォーター類の原水の規格基準に適合する。
【００２２】
本濃縮深層水を任意の希釈下に塗料に加えた場合、微細なクラスターを形成し、表層水圏、表層土壌圏等にはない多様でバランスのよいミネラル（微量要素）がインク分子の微細クラスター化し構造化インクが形成される。
【００２３】
また、添加された酸、塩基、塩がミネラルをイオン化し、水の構造化（クラスターの形成）、酸素の活性化を促進し、構造化インクを構築する。
【００２４】
本発明に供する苦汁は、海面下２００メートル以上の深海から取水した深層海水、湧昇流海水、深層水から食塩を製造する際に副産物として得られるものであり、また、更に、様々な濃縮を繰り返した結果得られた苦汁を利用したものである。
【００２５】
本発明で添加する酸は、無機酸、有機酸、無機酸塩または有機酸塩であり、それらは単独で添加することも、あるいは併用することも可能である。それらの酸の一例としてはリン酸、硫酸、硝酸、塩酸等の無機酸、リン酸カリウム、リン酸マグネシウム、硫酸アンモニウム、硫酸カルシウム等の無機酸塩、蟻酸、プロピオン酸、酪酸、カプロン酸、２−ヒドロキシ安息香酸、クエン酸、コハク酸、酢酸、乳酸、マロン酸、アジピン酸、マレイン酸、グルタル酸、４−ヒドロキシペンタン酸、イタコン酸、酒石酸、ピルビン酸、リンゴ酸、フマール酸、オキザロ酢酸、シスアコニット酸、イソクエン酸、オキザロコハク酸、α−ケトグルタル酸、コーヒー酸、シナピン酸、クマール酸、アスパラギン酸、ポリアクリル酸、木酢酸、ホスファチジン酸、ウロカニン酸、］ムコン酸、β−ケトアジピン酸、桂皮酸、クマリン酸、シノリン酸、クロロゲン酸、インドール乳酸、キサンツレン酸、ピコリン酸、キノリン酸、５−ヒドロキシインドール酢酸、オキサロ酢酸、ニコチン酸、インドール酢酸、β−３Ｈ−インドリデノピルビン酸、シキミ酸、コリスミ酸、フェニルピルビン酸、システイン酸、γ−アミノ酪酸、Ｄ−ピロリドン−５−カルボン酸、２−ケト−６−アミノカプロン酸、２−ケト−５−アミノ吉草酸、ホスホエノールピルビン酸、アセチルリン酸、グリオキシル酸、ジヒドロキシフマル酸、３−ホスホグリセリン酸、３−ヒドロキシプロピオン酸、メチルマロン酸、２−オキソグルタル酸、アセト酢酸、４−アミノ酪酸、アセト乳酸、ジメチルリンゴ酸、Ｌ−シトラマル酸、ジメチルマレイン酸、ｃｉｓ−アコニット酸、３−メチルイタコン酸、メチルオキサロ酢酸、２−オキソ酪酸、グリオキシル酸、イソクエン酸、７，８−ジヒドロ葉酸、５，６，７，８−テトラヒドロ葉酸、５−メチルテトラヒドロ葉酸、３−ホスホ−Ｄ−グリセリン酸、チアミンピロリン酸、チアミン酢酸、５−ピリドキシン酸、４−ピリドキシン酸、パントテン酸、パントイン酸、ケトパントイン酸、ヒメリン酸、７−ケト−８−アミノペラルゴン酸、葉酸、ＶＢ１２、コビリン酸、δ−アミノレブリン酸、Ｌ−グロン酸、Ｌ−デヒドロアスコルビン酸、Ｌ−トレオン酸、レチノイン酸、β−アポ−８’−カロテン酸、シキミ酸、ホモゲンチジン酸、プレフェン酸、アントラニル酸、ピペコリン酸、リゼルグ酸、メバロン酸、アビエチン酸、レボピマール酸、ネオアビエチン酸、エチドロン酸、含硫珪酸、グルタミン酸、珪酸、ペンテト酸、脂肪酸（ステアリン酸、ヒドロキシステアリン酸、ミリスチン酸、ラノリン酸、テトラオレイン酸、デヒドロ酢酸、パルミチン酸、ウンデシレン酸等）、ヒアルロン酸、エデト酸、ノナン酸、グリコール酸、タンニン酸トリＰＥＧ−８アルキル（Ｃ−１２−１５）リン酸、パーフルオロアルキルＰＥＧリン酸、ジラウレス−４リン酸等の有機酸がある。
【００２６】
塩の一例としては、酒石酸カリウムナトリウム、酢酸ナトリウム、クエン酸カリウム、乳酸カルシウム、乳酸カリウム、クエン酸ナトリウム、コハク酸カルシウム、リンゴ酸マグネシウム、ポリアクリル酸ナトリウム、グリチルリチン酸２Ｋ、ココイルイセチオン酸Ｎａ、スルホコハク酸ラウレス２Ｎａ、ＤＮＡ−Ｋ、デヒドロ酢酸Ｎａ、銅クロロフィリンＮａ、ヒアルロン酸Ｎａ、ペンテト酸５Ｎａ、リン酸アスコルビルＭｇ、安息香酸Ｎａ、ＥＤＴＡ−２Ｎａ、ＥＤＴＡ−３Ｎａ、ＥＤＴＡ−４Ｎａ、塩化アルキルトリメチルアンモニウム、ベヘントリモニウムクロリド、塩化ジステアリルジメチルアンモニウム、ジステアリルジモニウムクロリド、塩素ステアリルジメチルベンジルアンモニウム、ステアラルコニウムクロリド、塩化ステアリルトリメチルアンモニウム、ステアルトリモニウムクロリド、塩化セチルピリジニウム、塩化ベンザルコニウム、塩化ベンゼトニウム、塩化ラウリルメチルアンモニウム、塩化リゾチーム、塩酸アルキルジアミノエチルグリシン、塩酸クロルヘキシジン、塩酸ジフェンヒドラミン、グアイアズレンスルホン酸Ｎａ、セチル硫酸Ｎａ、ＲＡＳ−ＮＡ、デヒドロ酢酸Ｎａ、ｐ−フェノールスルホン酸Ｚｎ、ポリオキシエチレンラウリルエーテル硫酸塩、ラウリル硫酸トリエタノールアミン、水添タロウグルタミン酸Ｎａ、Ｎ−ステアロイル−Ｎ−メチルタウリンＮａ、Ｎ−ミリストイル−Ｌ−グルタミン酸Ｎａ、ココイルグルタミン酸Ｋ、硬化牛脂脂肪酸アシル−Ｌ−グルタミン酸Ｎａ、Ｎ−ラウリルヒドロキシ酢酸アミド硫酸Ｎａ、ラウロアンホジ酢酸２Ｎａ／トリデセス硫酸Ｎａ、ラウロイルアスパラギン酸Ｎａ、ラウロイルグルタミン酸Ｋ、ラウロイルグルタミン酸Ｍｇ、ラウロイルトレオニンＫ、ラウロアンホジ酢酸２Ｎａ、ラウロアンホ酢酸Ｎａ、オクトキシノール−２−エタンスルホン酸Ｎａ、スルホコハク酸ＰＥＧ−２オレアミド２Ｎａ、スルホコハク酸ＰＥＧ−５ラウラミド２Ｎａ、スルホコハク酸ＰＥＧ−５オレアミド２Ｎａ、スルホコハク酸ラウリル２Ｎａ、セテアリル硫酸Ｎａ、オレフィン（Ｃ１４−１６）スルホン酸Ｎａ、パーム核脂肪酸アミドエチルヒドロキシエチルアミノプロピオン酸Ｎａ、ラウラミノプロピオン酸Ｎａ、ポリアクリル酸Ｎａ、ポリアクリル酸Ｋ、ミリストイルメチルタウリンＮａ、ココイルサルコシンＮａ、ココイルタウリンＮａ、ココイルメチルアラニンＮａ、ココイルメチルタウリンＭｇ、ラウリミノジプロピオン酸Ｎａ、ラウリル硫酸Ｎａ、ラウロイルサルコシンＮａ、ラウロイルメチルアラニンＮａ、等の有機酸塩さらに、珪酸Ａｌ／Ｍｇ等の無機酸塩等があげられる。
【００２７】
また、本発明で添加する塩基は、無機塩基または、有機塩基であり、それらは単独で添加することも、あるいは併用することも可能である。それらの塩基や塩の一例としては水酸化ナトリウム、水酸化カルシウム、水酸化マグネシウム、水酸化カリウム、炭酸ナトリウム、炭酸カリウム、炭酸水素ナトリウム、炭酸水素カリウム、炭酸カルシウム、炭酸マグネシウム等の無機塩基、エステル化グリシルアラニン（Ｃ−末端エステル化ペプチド）、グルコサミン（アミノ糖）、ヒスチジン、アルギニン、アスパラギン、塩基性多糖（キチン、キトサン、キチン誘導体、キトサン誘導体）、ジイソプロパノールアミン、ジエタノールアミン、トリイソプロパノールアミン、トリエタノールアミン、等の有機塩基等があげられる。
【００２８】
苦汁と酸／塩基／塩との混合率は、苦汁０−１００重量％、酸／塩基／塩０−７０重量％が適当である。このことによって中和や緩衝効果が現れ、苦汁に含まれるカチオンまたは、アニオン濃度が充分となる。酸アニオンとしては、リン酸および／または、硫酸の添加が構造化を加速する。この範囲外では汚染水に対する中和や緩衝作用が低下し、苦汁に含まれるカチオン濃度が充分でない。
【００２９】
酸アニオンとしては、水溶媒改良には硫酸アニオン、リン酸アニオン、クエン酸アニオン、琥珀酸アニオン、乳酸アニオンの添加が効力を高める。
【００３０】
本発明の深層水［海面下２００メートル以上の深海から取水した深層海水、湧昇海水または、深層水］を濃縮して得られる苦汁の微生物、動植物、魚介類、哺乳類等に対する一般的な効果としては、以下のような効果が認められる。１．水圏、土壌圏の好気性菌、通性菌の生育を促進する。２．有機物、荷電粒子の凝集作用を有する。３．浄化水中の食物連鎖を高める。４．水圏、土壌圏の植物、動物、魚類の生育促進作用を有する。５．飲料水をミネラルウォーターに変える。６．風呂水の鉱泉水化が起きる。皮膚への温泉効果が現れ、血流が盛んになり、湯冷めし難い。７．炊飯水に添加することによってふっくらと炊きあがり、炊き立て飯の味が２−３日間持続する。８．水産養殖池に添加する事によって、水質浄化、ウイルスの発生を抑制、ヘドロの発酵を抑制、藻類の発生を抑制等の効果を有する。養殖エビ、魚類の健全化、巨大化等の効果が現れる。また、ウイルスフリー（ｖｉｒｕｓ−ｆｒｅｅ）の稚エビ、親エビの生産が可能となる（参考文献：  Ｅ．  Ｉｄａｋａ  ｅｔ  ａｌ．，  Ａｐｐｌｉｃａｔｉｏｎ  ｏｆ  ａｅｒａｔｅｄ  ｂｉｏ  ｓｈｅｌｆ  ｐｕｒｉｆｉｃａｔｉｏｎ  ｔｏ  ｐｏｎｄｓ  ａｎｄ  ｌａｋｅｓ，  Ｒｅｓｅａｒｃｈ  Ｒｅｐｏｒｔ  ｏｆ  Ｃｅｎｔｅｒ  ｆｏｒ  Ｃｏｏｐｅｒａｔｉｖｅ  Ｒｅｓｅａｒｃｈ，  Ｇｉｆｕ  Ｕｎｉｖｅｒｓｉｔｙ，  （２），  ６２−６９  （１９９２），  Ｉ．  Ｈｏｒｉｕｃｈｉ，  Ｅ．  Ｉｄａｋａ  ｅｔ  ａｌ．，  Ｗａｔｅｒ  Ｔｒｅａｔｍｅｎｔ  Ｍｅｔｈｏｄ  ｉｎ  Ｐｒａｗｎ  Ｃｕｌｔｕｒｅ  Ｐｏｎｄｓ  ｔｈｒｏｕｇｈ  Ｍｏｄｅｒｎ  Ｔｅｃｈｎｏｌｏｇｙ，  （Ｔｈａｉｌａｎｄ−Ｊａｐａｎ  Ｂｉｌａｔｅｒａｌ  Ｓｅｍｉｎａｒ  ｏｎ  Ｗａｔｅｒ  Ｔｒｅａｔｍｅｎｔ  Ｍｅｔｈｏｄ  ｉｎ  Ｐｒａｗｎ  Ｃｕｌｔｕｒｅ  Ｐｏｎｄｓ  ｔｈｒｏｕｇｈ  Ｍｏｄｅｒｎ  Ｔｅｃｈｎｏｌｏｇｙ．  Ｓｅｐｔ．  ３０．  １９９２．  Ｅａｓｔｅｒｎ  Ｈｏｔｅｌ，  Ｃｈａｎｔａｂｕｌｉ，  Ｔｈａｉｌａｎｄ，  Ｏｒｇａｎｉｚｅｄ  ｂｙ  Ｍｉｎｉｓｔｒｙ  ｏｆ  Ａｇｒｉｃｕｌｔｕｒｅ  ａｎｄ  Ｃｏｏｐｅｒａｔｉｖｅｓ．，  Ｂａｎｋ  ｏｆ  Ａｙｕｄｈｙａ．），  Ｉ．  Ｈｏｒｉｕｃｈｉ，  Ｅ．  Ｉｄａｋａ，  Ｓ．  Ｋｏｍｕｒａ，  Ａｄｖａｎｃｅｄ  ｂｉｏｔｅｃｈｎｉｃａｌ  ｔｒｅａｔｍｅｎｔ  ｏｆ  ｗａｔｅｒ  ｉｎ  ｉｎｔｅｎｓｉｖｅ  ｐｒａｗｎ  ｃｕｌｔｕｒｅ  ｓｙｓｔｅｍ，  １９ｔｈ  Ｃｏｎｇｒｅｓｓ  ｏｎ  Ｓｃｉｅｎｃｅ  ａｎｄ  Ｔｅｃｈｎｏｌｏｇｙ  ｏｆ  Ｔｈａｉｌａｎｄ，  ８９ｐ，  （２７−２９，  Ｏｃｔ．，  １９９３，  Ｄｕｓｉｔ  Ｊ．  Ｂ．  Ｈｏｔｅｌ，  Ｈａｔ  Ｙａｉ，  Ｓｏｎｇｋｈｌａ））９．害虫の忌避効果を示す。１０．活魚輸送の際噴霧（クルマエビ）、水に添加（魚介類）で長時間輸送可能。１１．人畜屎尿・生ゴミの迅速処理、無臭化が可能。１２．河川湖沼の汚染水の浄化が可能。１３．水産加工廃水の凝集、微生物分解作用による浄化が可能。１４．酵母の増殖を促進する。１５．漬け物の発酵を促進する。１６．化粧水等に添加する事によって皮膚、毛根細胞の代謝活性化が計られる。１７．ミネラルウォーターの味覚を向上し、円やかなものにする。１８．料理、食品（インスタント食品、加工食品、生鮮食品、魚介類、野菜、乳児食品、離乳食、家禽用・家畜用・ペット・昆虫用食品）、健康食品（ＡＨＣＣ、ＥＰＡ、ＤＨＡ、ＳＯＤ酵素、ＤＮＡ核酸、亜鉛、アガリクス、アセロラ、アマチャズル、アミノ酸、アルファルファ、アロエ、アントシアニン、イチジク（無花果）、イチョウ葉エキス、イソフラボン、ウーロン茶、ウコン、ウラジロ、大麦若葉エキス、オリゴ糖、カイアポイモ、ガウクルア、カキ肉エキス、カキの葉、核酸、ガジュツ、カテキン、カモミール（カモマイル）、カリン、カルシウム、ガルシニア、カワラケツメイ、甘草、きび酢、キトサン、ギムネマ、キャッツクロー、グァバ茶、クコ、クマ笹、グルコサミン、グルコマンナン、黒ゴマ、黒砂糖、黒酢、黒大豆、クロレラ、桑の葉、ケール、ケフィア、ゲンノショウコ、玄米、高麗人参、ココア、米胚芽、コラーゲン、コンドロイチン、こんぶ、サイリウム、ザクロ、サフラン、サメの軟骨、山査子、しじみエキス、シソ、シベリアジンセン、ジュアール、シリマリン、深海鮫エキス、スギナ、スクアレン、スッポン、スピルリナ、西洋オトギリ草（セントジョーンズワート）、センナ、タウリン、タラの芽、鉄（ヘム鉄・非ヘム鉄）、田三七人参、田七人参、甜茶（てんちゃ）、天麻、冬虫夏草、ドクダミ、杜仲茶、納豆（菌）、納豆キナーゼ、日本山人参、乳酸菌、乳糖、ニンニク、根コンブ、ノコギリヤシエキス、梅肉エキス、ハチの子、はちみつ、ハトムギ、バナバ茶、ハブ茶、ビール酵母、ヒアルロン酸、ひじき、ビフィズス菌、姫マツタケ、ビワの葉、プアール茶、プエラリア、ふかひれ軟骨、ぶどうの種、プラセンタ、フラボノイド、ブルーベリー、プルーン、プロポリス、ペイチー茶、紅麹、紅人参、まいたけ、マカ、松の花粉、松葉エキス、マテ茶、ミツロウ、ムコ多糖類、紫イペ、めぐすりの木、免疫ミルク、木酢液、モロヘイヤ、もろみ酢、ヤツメウナギ、ヤーコン、ユズの種、ヨーグルトきのこ、ヨモギ、羅漢果、羅布麻茶、卵黄油、リコピン、リンゴ酢、ルイボス茶、ルテイン、霊芝、ローヤルゼリー）、ジュース、コーヒー、茶紅茶、烏龍茶、昆布茶、笹茶、玉露、番茶、緑茶、鳩麦、大麦、柿、ドクダミ、レイシ、アガリクス、冬虫夏草、茸類、プーアール茶、）、アルコール類、乳飲料及び、炭酸飲料に添加した場合その味覚を向上し、円やかなものにする。１９．化粧水等に添加することによって、アトピー、エイズ、皮膚病、肩こり等の改善、シミ・そばかす・くすみ・ほくろの除去等。２０．溶媒・溶質の構造化に効果が現れる。
【００３１】
本発明の塗料、インクジェットプリンター・ボールペン・万年筆・マジックインク・記録計・カーボン紙・スタンパー・印肉・絵の具・印刷機械・筆記器具のためのインクおよび、インクジェットプリンター・ボールペン・万年筆・マジックインク・記録計・カーボン紙・スタンパー・印肉・絵の具・印刷機械・筆記器具等のインク収納機器に利用される、深層水［海面下２００メートル以上の深海から取水した深層海水、湧昇海水または、深層水］を濃縮して得られる苦汁の比重（ｄ）は  １．０１−１．６５  の範囲にある。円やかさ等の味覚は当該苦汁の比重（ｄ）に大きく影響を受ける。以下に、苦汁の比重（ｄ）と微生物、キノコのコロニーの生育速度（ｍｍ／ｄａｙ）との関係を示す。
【００３２】
アガリクス・シルバチカス・シェファー（Ａｇａｒｉｃｕｓ  ｓｉｌｖａｔｉｃｕｓ  Ｓｈａｅｆｆｅｒ）のＳＭＹ（ｓｕｃｒｏｓｅ−ｍａｌｔ  ｅｘｔｒａｃｔ−ｙｅａｓｔ  ｅｘｔｒａｃｔ）寒天培地上におけるコロニーの生育速度は次に示すとおりである：  ０．４  （ｃｏｎｔｒｏｌ），  ０．５  （ｄ＝１．２），  ０．５５  （ｄ＝１．３），  ０．６２  （ｄ＝１．４）（単位  ｍｍ／ｄａｙ）。従って、苦汁の至適比重は１．４である。
【００３３】アガリクス・フィアルディー・ペグラー（Ａｇａｒｉｃｕｓ  ｆｉａｒｄｉｉ  Ｐｅｇｌｅｒ）のＳＭＹ寒天培地上におけるコロニーの生育速度は次に示すとおりである：  ０．４  （ｃｏｎｔｒｏｌ），  ０．４８  （ｄ＝１．２），  ０．５３  （ｄ＝１．３），  ０．６０  （ｄ＝１．４）（単位  ｍｍ／ｄａｙ）従って、苦汁の至適比重は  １．４  である。
【００３４】
冬虫夏草（Ｃｏｒｄｙｃｅｐｓ  ｓｉｎｅｎｓｉｓ  （Ｂｅｒｋｌｅｙ）  Ｓａｃｃａｒｄｏ）のＳＭＹ寒天培地上におけるコロニーの生育速度は次に示すとおりである：  ０．２６  （ｃｏｎｔｒｏｌ），  ０．３０  （ｄ＝１．２），  ０．３５  （ｄ＝１．３），  ０．４０  （ｄ＝１．４）（単位  ｍｍ／ｄａｙ）従って、苦汁の至適比重は  １．４  である。
【００３５】
アエロモナス・ハイドロフィラ・２４Ｂ（Ａｅｒｏｍｏｎａｓ  ｈｙｄｒｏｐｈｉｌａ  ｖａｒ．  ２４Ｂ）は発明者によって染色工場排水溝の汚泥中より単離・命名された微生物である。２４Ｂ株のＳＭＹ寒天培地上におけるコロニーの生育速度は次に示すとおりである：  ０．２４  （ｃｏｎｔｒｏｌ），  ０．３  （ｄ＝１．２），  ０．３４  （ｄ＝１．３），  ０．４２  （ｄ＝１．４）（単位  ｍｍ／ｄａｙ）。従って、苦汁の至適比重は  １．４  である。（参考文献：Ｅ．  Ｉｄａｋａ  ｅｔ  ａｌ．，  Ｄｅｇｒａｄａｔｉｏｎ  ｏｆ  ａｚｏ  ｃｏｍｐｏｕｎｄｓ  ｂｙ  Ａｅｒｏｍｏｎａｓ  ｈｙｄｒｏｐｈｉｌａ  ｖａｒ．  ２４Ｂ，  Ｊ．  Ｓｏｃ．  Ｄｙｅｒｓ  Ｃｏｌｏｕｒ．  ｖｏｌ．９４，  ９１−９４  （１９７８））
【００３６】
植物色素ゼブリニン（ｚｅｂｒｉｎｉｎ）は発明者によって発見命名・構造決定されたアシル化アントシアニンである。ｐＨ６．５  での、５日後の色素の安定性は以下の通りである：５５％（ｃｏｎｔｒｏｌ），  ５８％（（ｄ＝１．２），  ６４％（ｄ＝１．３），  ６８％（ｄ＝１．４）。従って、苦汁の至適比重は  １．４  である。（参考文献：Ｅ．  Ｉｄａｋａ  ｅｔ  ａｌ．，  Ｓｔｒｕｃｔｕｒｅ  ｏｆ  ｚｅｂｒｉｎｉｎ，  ａ  ｎｏｖｅｌ  ａｃｙｌａｔｅｄ  ａｎｔｈｏｃｙａｎｉｎ  ｉｓｏｌａｔｅｄ  ｆｒｏｍ  Ｚｅｂｒｉｎａ  ｐｅｎｄｕｌａ，  Ｔｅｔｒａｈｅｄｒｏｎ  Ｌｅｔｔ．，  ｖｏｌ．２８  （１７）  １９０１−１９０４  （１９８７））
【００３７】
本発明の苦汁の至適  ｐＨを  ｐＨ５−１１  の範囲で調べた。ｐＨ調整は鉱酸混合液（リン酸：硫酸（２：１））または、水酸化カルシウムを用いた。
アガリクス・シルバチカス・シェファー（Ａｇａｒｉｃｕｓ  ｓｉｌｖａｔｉｃｕｓ  Ｓｈａｅｆｆｅｒ）のＳＭＹ（ｓｕｃｒｏｓｅ−ｍａｌｔ  ｅｘｔｒａｃｔ−ｙｅａｓｔ  ｅｘｔｒａｃｔ）寒天培地上におけるコロニーの生育速度は次に示すとおりである：  ０．４  （ｃｏｎｔｒｏｌ），  ０．２  （ｐＨ５），  ０．３  （ｐＨ６），  ０．５４  （ｐＨ６．５），  ０．５０  （ｐＨ７），  ０．５２  （ｐＨ７．８），  ０．４８  （ｐＨ８．５），  ０．４０  （ｐＨ９．２），  ０．３５  （ｐＨ１０．２），  ０．２  （ｐＨ１１），（単位  ｍｍ／ｄａｙ）従って、苦汁の至適  ｐＨは  ６．５−８．５  である。
【００３８】
水のクラスターの微細化は１７Ｏ−ＮＭＲ  の半値幅が１４０−１００  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成が認められる。
【００３９】
【実施例】
以下、実施例により本発明を説明する。
【実施例１】
稀土鉱石２．５Ｋｇ、トルマリン２．５Ｋｇ、長石５Ｋｇを１０Ｋｇ湿式ボールミルで２４０時間擦って粒子径２ミクロン以下に破砕する。得られたエマルジョンを水性アクリル樹脂エマルジョン２００Ｋｇに添加する。さらに、深層水［海面下２００メートル以上の深海から取水した深層海水、湧昇海水または、深層水］を濃縮して得られる苦汁３％を添加する。得られた、混合液を攪拌機で攪拌して水性アクリル樹脂エマルジョンを添加して塗料を得る。
【００４０】
得られた塗料をマルチチャンネル波高分析器によるγ線スペクトル測定したところ、ウラン系列核種とトリウム系列核種から放出されるγ線が検出された。ウラン系列核種では、親核種２３８Ｕの娘核種である２２６Ｒａ，  ２１４Ｐｂ，  ２１４Ｂｉから放出されるγ線が検出された。また、トリウム系列核種では親核種２３８Ｔｈの娘核種である２２８Ａｃ，  ２１２Ｐｂ，  ２１２Ｂｉ，  ２０８Ｔｌから放出されるγ線が検出された。これらの核種について放射能濃度および、放射平衡を仮定したときの系列親核種の質量濃度を計算した。
【００４１】
ウラン系列
核種  γ線のエネルギー（ＫｅＶ）  放射能濃度  放射平衡成立時Ｕ濃度（％）
２２６Ｒａ      １８６．０                      ０．８９±０．２１      ０．００７５±０．００１７
２１４Ｐｂ      ３５２．０                      ０．８８±０．０６      ０．００７４±０．０００５
２１４Ｂｉ      ６０９．３                      ０．８６±０．０６      ０．００７１±０．０００５
【００４２】
トリウム系列
核種  γ線のエネルギー（ＫｅＶ）  放射能濃度  放射平衡成立時Ｔｈ濃度（％）
２２８Ａｃ      ９１１．２                      ６．９±０．２        ０．１７±０．０５
２１２Ｐｂ      ３００．１                      ６．８±０．６        ０．１７±０．０２
２１２Ｂｉ      ７２７．２                      ６．４±０．５        ０．１６±０．０１
２０８Ｔｌ      ５８３．１                      ２．６±０．０６        ０．１８±０．０４
【００４３】
これらの結果は、ウラン、トリウム濃度とも安全基準値の１／１００に収まっている。放射能濃度についても届出値（３７０Ｂｑ／ｇ）を下回るものである。
また、空気イオンカウンターにてマイナスイオン量を測定したところ、６，０００−１３０００個／ｃｍ３であった。これは、深層水［海面下２００メートル以上の深海から取水した深層海水、湧昇海水または、深層水］を濃縮して得られる苦汁を添加しない場合に比較して２０−３０％測定値が上回っている。
【００４４】
【実施例２】
実施例１の水性アクリル樹脂塗料を、インクジェットプリンターのインク溶媒系統（インク収納容器、ノズル、インク収納容器を収納する容器の内部および／または、外部等）に塗布・装着することによって、インクの溶媒分子間の化学結合、イオン結合、水素結合（ｈｙｄｒｏｇｅｎ  ｂｏｎｄｉｎｇ）、ファンデルワールス力（ｖａｎ  ｄｅｒ  Ｗａａｌｓ’ｓ  ｆｏｒｃｅ）等を切断、励起、再結合し溶媒のクラスターを極限まで微細化する。このことによって、ノズルから噴出・噴射する液滴の微細化（０．４−１．５ｐｌ）を図ることが可能となった。インク溶媒系統への装着については、水性アクリル樹脂塗料の形態である必要はなく苦汁、酸／塩基／塩、稀土鉱石／トルマリン／長石等の混合微粉末が塗布・付着できればいかなる形態でも可能である。インク溶媒中に苦汁を添加することもクラスターの微細化に貢献する。苦汁の添加によって、色素のスタッキング（ｓｔａｃｋｉｎｇ）による安定化（ｓｔａｂｉｌｉｚａｔｉｏｎ）がもたらされ、耐光性・耐候性が向上する。水のクラスターの微細化は１７Ｏ−ＮＭＲ  の半値幅が１４０−１００  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成が認められる。常時励起エネルギーが照射されている場合、ファンデルワールス力は切断され、インクが構造化（ｓｔｒｕｃｔｕｒｉｚｅ）されることによって、より微量なインク送液が可能となる。低温特性も改善され、−５０〜−７０℃で凍結せずインク送液・噴射が可能となる。また、被印刷物に構造化インクが付着・吸着した場合、微細な構造化インクはインク分子間および、インク分子−被印刷物構成分子間でより強固なファンデルワールス力が働き、印刷インクの発色効果が安定化される。稀土鉱石、トルマリン、長石、苦汁、酸／塩基／塩等の混合比率はいずれの場合も、任意の比率で混合することが可能である。
【００４５】
【実施例３】
実施例１の水性アクリル樹脂塗料を、ボールペンの溶媒系統（インク収納容器、ボール先端部分、インク収納容器を収納する容器の内部および／または、外部等）に塗布・装着することによって、インクの溶媒分子間の化学結合、イオン結合、水素結合（ｈｙｄｒｏｇｅｎ  ｂｏｎｄ）、ファンデルワールス力（ｖａｎ  ｄｅｒ  Ｗａａｌｓ’ｓ  ｆｏｒｃｅ）等を切断、励起、再結合し溶媒のクラスターを極限まで微細化する。このことによって、ボールから送り出すことのできるインクのクラスター構造の微細化を図ることが可能となった。インク溶媒系統への装着については、水性アクリル樹脂塗料の形態である必要はなく苦汁、酸／塩基／塩、稀土鉱石／トルマリン／長石等の混合微粉末が塗布・付着できればいかなる形態でも可能である。常時励起エネルギーが照射されている場合、水素結合やファンデルワールス力は切断され、インクが構造化（ｓｔｒｕｃｔｕｒｉｚｅ）されることによって、より微量なインク送液が可能となる。低温特性も改善され、−５０〜−７０℃で凍結せずインク送液・筆記が可能となる。また、被印刷物に構造化インクが付着・吸着した場合、微細な構造化インクはインク分子間および、インク分子−被印刷物構成分子間でより強固な水素結合やファンデルワールス力が働き、印刷インクの発色効果が安定化される。
【００４６】
【実施例４】
実施例１の水性アクリル樹脂塗料を、カーボン紙・スタンパー・印肉・絵の具・印刷機械の溶媒系統（インク収納容器、インク収納容器を収納する容器の内部および／または、外部等）に塗布・装着することによって、インクの溶媒分子間の化学結合、イオン結合、水素結合（ｈｙｄｒｏｇｅｎ  ｂｏｎｄ）やファンデルワールス力（ｖａｎ  ｄｅｒ  Ｗａａｌｓ’ｓ  ｆｏｒｃｅ）等を常時、切断、励起、再結合し溶媒のクラスターを極限まで微細化する。このことによって、カーボン紙・スタンパー・印肉・墨汁・絵の具・印刷機械等に収納されるインクの流動性の保持および、劣化の防止効果が発現する。塗布・装着の水性アクリル樹脂塗料の形態は苦汁、酸／塩基／塩、稀土鉱石／トルマリン／長石等の混合微粉末がインクの近隣に塗布・付着できればいかなる形態でも可能である。カーボン紙・スタンパー・印肉・墨汁・絵の具・印刷機械等に収納されるインク等の温度特性も大きく影響される。インクの溶媒分子間の化学結合、イオン結合、水素結合（ｈｙｄｒｏｇｅｎ  ｂｏｎｄ）やファンデルワールス力（ｖａｎ  ｄｅｒ  Ｗａａｌｓ’ｓ  ｆｏｒｃｅ）等を常時、切断、励起、再結合によって低温特性が改善され、−５０〜−７０℃で凍結しない。
【００４７】
【実施例５】
海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）を直接構造化するには、本発明の放射線・マイナスイオン発生体と水を直接または、間接的に接触させることによって可能である。直接接触では、放射線・マイナスイオン発生体を充填タンク、充填カラム、濾過塔方式をとることが可能である。間接構造化では、深層水の流路または、槽に放射線・マイナスイオン発生体を近接することによって可能である。また、充填済みボトルや、レトルトパックを放射線・マイナスイオン発生体に近接することによっても可能である。苦汁／稀土鉱石／トルマリン／長石の混合物の形態は様々な形態が可能である。混合物を粗い粉末（１０μ−２５ｍｍ  Ｉ．Ｄ．）とすることが可能である。また、稀土鉱石／トルマリン／長石の混合物を微細粉末（１０μＩ．Ｄ．以下）とすることも可能である。これら粉末は、槽、配管等に塗布・付着したり、充填することができる。また、様々な形状の担体に塗布・付着・焼き付けすることができる。これら、様々な製法を単独または組み合わせることによって構造化純水・構造化蒸留水、構造化イオン交換水、構造化膜浸透水を製造することができる。さらに、これら、様々な製法を単独または組み合わせることによって構造化深層水、構造化海洋深層水、構造化濃縮深層水、構造化温泉水、構造化ミネラルウォーター、構造化ボトルドウォーター、構造化化粧水、構造化（濃縮深層水）パーマ液、構造化（濃縮深層水）アルカリ助剤、構造化（濃縮深層水）酸性助剤を製造することができる。
【００４８】
海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）から得られた純粋（ｐｕｒｅ  ｗａｔｅｒ  ｂｙ  ｍｅｍｂｒａｎｅ  ｆｉｌｔｅｒ，  ＲＯ  ｆｉｌｔｅｒ，  ｉｏｎ  ｅｘｃｈａｎｇｅ  ｆｉｌｔｅｒ）・蒸留水（ｄｉｓｔｉｌｌｅｄ  ｗａｔｅｒ）、または、一般的な純粋・蒸留水を直接構造化するには、本発明の放射線・マイナスイオン発生体と水を直接または、間接的に接触させることによって可能である。直接接触では、放射線・マイナスイオン発生体を充填タンク、充填カラム、濾過塔方式をとることが可能である。間接構造化では、深層水の流路または、槽に放射線・マイナスイオン発生体を近接することによって可能である。また、充填済みボトルや、レトルトパックを放射線・マイナスイオン発生体に近接することによっても可能である。苦汁／稀土鉱石／トルマリン／長石の混合物の形態は様々な形態が可能である。混合物を粗い粉末（１０μ−２５ｍｍ  Ｉ．Ｄ．）とすることが可能である。また、稀土鉱石／トルマリン／長石の混合物を微細粉末（１０μＩ．Ｄ．以下）とすることも可能である。これら粉末は、槽、配管等に塗布・付着したり、充填することができる。また、様々な形状の担体に塗布・付着・焼き付けすることができる。これら、様々な製法を単独または組み合わせることによって構造化純水・構造化蒸留水、構造化イオン交換水、構造化膜浸透水を製造することができる。さらに、これら、様々な製法を単独または組み合わせることによって構造化深層水、構造化海洋深層水、構造化濃縮深層水、構造化温泉水、構造化ミネラルウォーター、構造化ボトルドウォーター、構造化化粧水、構造化（濃縮深層水）パーマ液、構造化（濃縮深層水）アルカリ助剤、構造化（濃縮深層水）酸性助剤を製造することができる。
【００４９】
放射線・マイナスイオン発生体と水を直接または、間接的に接触させた場合、水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成（構造化（ｓｔｒｕｃｔｕｒｉｚｅｄ））が認められる。（綿貫邦彦、久保田昌治監修、新しい水の科学と利用技術、２１７，  ２３７，  ２６３  サイエンスフォーラム（１９９２））
【００５０】
構造化の一般的な方法としては、電磁波照射（ｘ−ｒａｙ，  ＵＶ，  ＩＲ，  ｍｉｃｒｏｗａｖｅ，  ｒａｄｉｏｗａｖｅ）、粒子線照射（ｎｅｕｔｒｏｎ，  ｐｒｏｔｏｎ，  ｅｌｅｃｔｒｏｎ，  ｐｈｏｔｏｎ，  Ｒｎ，  α−ｒａｙ，  ｎｅｕｔｒｉｎｏ）、電磁場照射、核磁気共鳴等によっても可能であり、深層水、濃縮深層水、稀釈水、純水、蒸留水等を直接的または／および、間接的にこれら各種照射をすることによって容易に構造化される（綿抜邦彦、久保田昌治監修、新しい水の科学と利用技術、（１９９２）サイエンスフォーラム）。しかし、いずれの方法によっても、本発明の放射線・マイナスイオン発生体または、苦汁／稀土鉱石／トルマリン／長石の混合物による構造化よりも、構造化の寄与は劣っている。
【００５１】
本文中［／］は［および、または］を意味する。［％］で特に指定なき場合は［重量％］とする。
【００５２】
【発明の効果】
ＩＴ時代においてなお、印刷の重要性は拡大する。より精緻で安定した表現力が望まれている。液体溶媒を用いたインクの形態が、精緻さと安定性を獲得するには、クラスターの微細化を実現する必要がある。
本発明の構造化インクは、近隣に構造化濃縮深層水塗料を塗布することによる、インク媒体間の水素結合やファンデルワールス力切断、励起、再結合を達成しインク・クラスターの微細化とインクの安定性を実現するものである。